(57)【要約】【課題】  従来よりも低コストで小型化され、かつ突入電流によるフリッカ現象を防止可能なヒータ駆動装置、および該駆動装置を備えた画像形成装置を提供すること。【解決手段】  スローアップ機能を有する定電圧出力回路と、前記定電圧出力回路とは別の経路でヒータに電力を供給する電源回路と、前記定電圧出力回路と前記電源回路とを切り替える切り替え手段と、を構成し、スローアップを行う時には前記定電圧出力回路とヒータを接続し、定常点灯時には前記電源回路をヒータに接続する。【選択図】        図１
2005251561.tif 000002
【特許請求の範囲】
【請求項１】
発熱手段たるヒータに所定の電圧を供給する定電圧出力回路と、前記定電圧出力回路の出力電圧を所定の時定数をもって立ち上げるスローアップ手段と、前記定電圧出力回路とは異なる経路でヒータに電力を供給する電源回路と、前記ヒータと前記電源回路との導通および遮断を自在に切り替え可能な切り替え手段を有することを特徴とした、ヒータ駆動装置。
【請求項２】
さらに、前記定電圧出力回路の出力電圧を所定の時定数をもって立ち下げるスローダウン手段を有することを特徴とした、請求項１に記載のヒータ駆動装置。
【請求項３】
前記電源回路によりヒータに電力が供給されているときには、前記定電圧出力回路の出力を低下させるか、あるいは遮断することを特徴とした、請求項１または請求項２のいずれか１項に記載のヒータ駆動装置。
【請求項４】
さらに、前記定電圧出力回路の入力側に、ノイズを除去するためのフィルタを有することを特徴とした、請求項１ないし請求項３のいずれか１項に記載のヒータ駆動装置。
【請求項５】
さらに、時間の経過を計測するタイマを有し、前記切り替え手段は所定のタイミングから一定時間が経過したことを条件として、前記ヒータと前記電源回路との導通および遮断を切り替えることを特徴とした、請求項１ないし請求項４のいずれか１項に記載のヒータ駆動装置。
【請求項６】
さらに、前記定電圧出力回路の出力電圧を検出する電圧検出手段を有し、前記切り替え手段は前記電圧検出手段が検出した電圧値に応じて、前記ヒータと前記電源回路との導通および遮断を切り替えることを特徴とした、請求項１ないし請求項５のいずれか１項に記載のヒータ駆動装置。
【請求項７】
前記ヒータは、ハロゲンヒータであることを特徴とした、請求項１ないし請求項６のいずれか１項に記載のヒータ駆動装置。
【請求項８】
前記切り替え手段は、トライアックもしくはＦＥＴであることを特徴とした、請求項１ないし請求項７のいずれか１項に記載のヒータ駆動装置。
【請求項９】
発熱手段を内蔵し、該発熱手段によって加熱されトナー像を記録媒体に定着させる熱定着装置を備えた画像形成装置であって、前記熱定着装置のヒータ駆動手段として、請求項１ないし請求項８のいずれか１項に記載のヒータ駆動装置を備えていることを特徴とした画像形成装置。
【発明の詳細な説明】
【技術分野】
【０００１】
本発明は、ヒータ駆動装置およびこのヒータ駆動装置を備える画像形成装置に関するものである。
【背景技術】
【０００２】
例えば複写機やレーザビームプリンタ等、電子写真方式の画像形成装置において、熱と圧力とを加えることでトナー像を記録用紙に半永久的に定着させる定着工程があるのは周知である。かかる画像形成装置においては、定着装置の温度を一定にするため、加熱手段への通電および遮断を繰り返し切り替える制御を行うことが多い。
【０００３】
前記定着工程においては、加熱手段としてハロゲンヒータが広く用いられているが、一般的にハロゲンヒータの抵抗値は正の温度係数特性を有しており、ハロゲンヒータに通電を開始した瞬間（温度が低い時）の抵抗値は、通常通電時（温度が高い時）の抵抗値に比べて非常に小さい。このため、ハロゲンヒータのオンオフの切り替え時に過電流が流れ、この種の画像形成装置が接続されているコンセントと同一のコンセントから電源供給されている照明器具がある場合には、前記過電流に起因するフリッカ現象（照明器具のちらつき）が生じる恐れがあった。
【０００４】
このため、特許文献１に記載の発明では、ヒータに通電を開始する時には一定の時定数を持たせて徐々に電圧を上げたり（以下、スローアップと記す）、逆に通電を遮断するときには徐々に電圧を下げたり（以下、スローダウンと記す）する機能を有する定電圧出力回路を設け、フリッカ現象を防止している。
【０００５】
図７を用いて、上記発明の効果を説明する。
【０００６】
図７は、ヒータに印加される実効電圧および実効電流の波形を示したものである。商用電源から直接ヒータに電力を供給したとき、オンオフ切り替え時の実効電圧および実効電流の波形は図７（ａ）のようになる。実効電流の立ち上がりのオーバーシュート（突入電流）が非常に大きいのは、ヒータの温度が低いときの電気抵抗が非常に小さいためである。一方、スローアップ機能を有する定電圧出力回路を用いて、一定の時定数Ｔａをもって所定の電圧を印加した場合は、図７（ｂ）のように突入電流を抑えることができる。
【０００７】
このようにして、フリッカ現象を防止することができる。
【特許文献１】特開平１１−３５４２５４号公報
【発明の開示】
【発明が解決しようとする課題】
【０００８】
しかしながら上述のように、定電圧出力回路によってヒータを駆動する場合、ヒータでの消費電力が大きい場合には、定電圧出力回路に用いるコンデンサやインダクタといった素子に要求されるスペックが高くなってしまい、コストアップや装置の大型化につながるという問題があった。また、定電圧出力回路にはその入力側に例えばπ型フィルタなど、ノイズ対策用のフィルタを設けるのが望ましいが、これもヒータでの消費電力が大きいとコストの高い素子が必要になるという問題があった。
【０００９】
一方で、毎分あたりの印刷枚数が多い高速機においては、定着装置に十分な熱量をもたせるために、消費電力の高いハロゲンヒータが必要である。
【００１０】
本発明は、以上の問題点に鑑みてなされたものであり、その目的とするところは、従来よりも低コストで小型化され、かつ突入電流によるフリッカ現象を防止するヒータ駆動装置、およびこのヒータ駆動装置を備える画像形成装置を提供することである。
【課題を解決するための手段】
【００１１】
そのため、本発明においては、下記の（１）項ないし（９）項のいずれかに記載のヒータ駆動装置および画像形成装置を提供することにより、前記目的を達成しようとするものである。
【００１２】
（１）発熱手段たるヒータに所定の電圧を供給する定電圧出力回路と、前記定電圧出力回路の出力電圧を所定の時定数をもって立ち上げるスローアップ手段と、前記定電圧出力回路とは異なる経路でヒータに電力を供給する電源回路と、前記ヒータと前記電源回路との導通および遮断を自在に切り替え可能な切り替え手段を有することを特徴とした、ヒータ駆動装置。
【００１３】
（２）さらに、前記定電圧出力回路の出力電圧を所定の時定数をもって立ち下げるスローダウン手段を有することを特徴とした、前記（１）に記載のヒータ駆動装置。
【００１４】
（３）前記電源回路によりヒータに電力が供給されているときには、前記定電圧出力回路の出力を低下させるか、あるいは遮断することを特徴とした、前記（１）または（２）のいずれか１項に記載のヒータ駆動装置。
【００１５】
（４）さらに、前記定電圧出力回路の入力側に、ノイズを除去するためのフィルタを有することを特徴とした、前記（１）ないし（３）のいずれか１項に記載のヒータ駆動装置。
【００１６】
（５）さらに、時間の経過を計測するタイマを有し、前記切り替え手段は所定のタイミングから一定時間が経過したことを条件として、前記ヒータと前記電源回路との導通および遮断を切り替えることを特徴とした、前記（１）ないし（４）のいずれか１項に記載のヒータ駆動装置。
【００１７】
（６）さらに、前記定電圧出力回路の出力電圧を検出する電圧検出手段を有し、前記切り替え手段は前記電圧検出手段が検出した電圧値に応じて、前記ヒータと前記電源回路との導通および遮断を切り替えることを特徴とした、前記（１）ないし（５）のいずれか１項に記載のヒータ駆動装置。
【００１８】
（７）前記ヒータは、ハロゲンヒータであることを特徴とした、前記（１）ないし（６）のいずれか１項に記載のヒータ駆動装置。
【００１９】
（８）前記切り替え手段は、トライアックもしくはＦＥＴであることを特徴とした、前記（１）ないし（７）のいずれか１項に記載のヒータ駆動装置。
【００２０】
（９）発熱手段を内蔵し、該発熱手段によって加熱されトナー像を記録媒体に定着させる熱定着装置を備えた画像形成装置であって、前記熱定着装置のヒータ駆動手段として、前記（１）ないし（８）のいずれか１項に記載のヒータ駆動装置を備えていることを特徴とした画像形成装置。
【発明の効果】
【００２１】
本発明では、定電圧出力回路およびその周辺回路のスペックダウンが達成でき、従来よりも低コストで小型化され、かつ突入電流によるフリッカ現象を防止することが可能なヒータ駆動装置および画像形成装置を提供することができる。
【発明を実施するための最良の形態】
【００２２】
以下、本発明の実施の形態を、複数の実施例により、図面を参照して具体的に説明する。
【実施例１】
【００２３】
図１〜図３を用いて実施例１を説明する。
【００２４】
まず、本発明に係る画像形成装置を説明する。
【００２５】
図１において、１０１は本発明に係る画像形成装置たる、電子写真方式のレーザビームプリンタである。
【００２６】
１０２はデッキ、１０３はデッキシート有無センサ、１０４は、記録シートの大きさを検知するセンサであるシートサイズ検知センサ、１０５はピックアップローラ、１０６はデッキ給送ローラ、１０７はリタードローラ、１０８は給送センサ、１０９は給送搬送ローラ、１１０はレジストローラ対、１１１はレジ前センサ、１１２はレーザスキャナ部、１１３はプロセスカートリッジ、１１４は感光体ドラム、１１５は帯電ローラ、１１６は現像器、１１７は転写ローラ、１１８は除電針、１１９は搬送ガイド、１２０は定着ローラ、１２１はハロゲンヒータ、１２２は加圧ローラ、１２３は定着装置、１２４は定着排出センサ、１２５は両面フラッパ、１２６は排紙センサ、１２７は排紙ローラ対、１２８は反転ローラ対、１２９は反転センサ、１３０はＤカットローラ、１３１は両面センサ、１３２は両面搬送ローラ対、１３３はレーザユニット、１３４はポリゴンミラー、１３５はスキャナモータ、１３６は結像レンズ群、１３７は折り返しミラー、１３８はメインモータ、１３９は高圧電源、１４０はプリンタ制御部、１４１は表示パネル、１４２は外部装置、１４３はＭＰＵ、１４４はインターフェイス、１４５は記憶装置、Ｐは記録シートである。
【００２７】
レーザビームプリンタ１０１は、記録シートＰを収納するデッキ１０２を有すると共に、このデッキ１０２内の記録シートＰの有無を検出するデッキシート有無センサ１０３、デッキ１０２内の記録シートＰのサイズを検知するシートサイズ検知センサ１０４、デッキ１０２から記録シートＰを繰り出すピックアップローラ１０５、該ピックアップローラ１０５によって繰り出された記録シートＰを搬送するデッキ給送ローラ１０６、該デッキ給送ローラ１０６と対をなし、記録シートＰの重送を防止するためのリタードローラ１０７を備えている。
【００２８】
そして、デッキ給送ローラ１０６のシート搬送方向下流側（以下単に「下流」という）には給送搬送状態を検出する給送センサ１０８、さらに下流へと記録シートＰを搬送するための給送搬送ローラ１０９、記録シートＰを画像形成動作と同期して搬送するレジストローラ対１１０、該レジストローラ対１１０への記録シートＰの搬送状態を検出するレジ前センサ１１１が配設されている。
【００２９】
また、レジストローラ対１１０の下流には、後述するレーザスキャナ部１１２からのレーザ光に基づいて感光体ドラム１１４上にトナー像を形成する画像形成手段を構成するプロセスカートリッジ１１３が装置本体に対して着脱可能に装着されている。
【００３０】
このプロセスカートリッジ１１３は、回転可能な感光体ドラム１１４と、その周囲に帯電ローラ１１５及び現像器１１６、さらには図示しないクリーニング器が設けられており、画像形成に際しては帯電ローラ１１５によって感光体ドラム１１４の表面を一様に帯電するとともに、レーザスキャナ部１１２から選択的な露光を行うことで潜像を形成し、その潜像を現像器１１６によってトナー現像して可視像化する。
【００３１】
また、プロセスカートリッジ１１３には、不揮発性の記憶素子１４５が設けられており、後述するプリンタ制御部１４０は、記憶素子１４５から情報を読み取る他、記憶素子１４５に情報を書き込むことができる。
【００３２】
そして、転写ローラ１１７に転写バイアス電圧を印加することで搬送されてきた記録シートＰに前記トナー像を転写して画像を形成する。
【００３３】
転写ローラ１１７の下流には、記録シートＰ上の電荷を除去し感光ドラム１１４からの分離を促進するための除電針１１８、搬送ガイド１１９が配設されている。
【００３４】
搬送ガイド１１９のさらに下流には、記録紙シートＰ上に転写されたトナー像を熱定着するための定着装置１２３が配設されている。定着装置１２３は、内部に加熱用のハロゲンヒータ１２１を備えた定着ローラ１２０と、定着ローラ１２０に一定のニップ幅をもって当接する加圧ローラ１２２と、定着部からの搬送状態を検知する定着排紙センサ１２４と、定着ローラ１２０の温度を検知する温度検知手段（不図示）から構成され、ハロゲンヒータ１２１からの熱と、定着ローラ１２０と加圧ローラ１２２との間の圧力によって、トナー像を記録シートＰに定着する。
【００３５】
後述するプリンタ制御部１４０は、定着ローラ１２０の温度が所定の値になるように、ハロゲンヒータ１２１のオン／オフを制御する。
【００３６】
さらに下流には、定着装置１２３から搬送されてきた記録シートＰを、排紙部か両面反転部に行き先を切り替えるための両面フラッパ１２５が配設されており、排紙部側の下流には、排紙部の紙搬送状態を検知する排紙センサ１２６、記録紙を排紙する排紙ローラ対１２７が配設されている。
【００３７】
一方、記録シートＰの両面に印字するために、片面印字終了後の記録シートＰを表裏反転させ、再度画像形成部へと給紙するための両面反転部側には、正逆転によって記録シートＰをスイッチバックさせる反転ローラ対１２８、反転ローラ１２８への紙搬送状態を検知する反転センサ１２９、記録シートＰの横方向位置を合わせるための横方向レジスト部（不図示）から記録シートＰを搬送するためのＤカットローラ１３０、両面反転部の記録シートＰ搬送状態を検知する両面センサ１３１、両面反転部から給紙部へと記録シートＰを搬送するための両面搬送ローラ対１３２が配設されている。
【００３８】
また、前記レーザスキャナ部１１２は、後述する外部装置１４２から送出される画像信号に基づいて変調されたレーザ光を発光するレーザユニット１３３、レーザユニット１３３からのレーザ光を感光体ドラム１１４上に走査するためのポリゴンミラー１３４とスキャナモータ１３５、結像レンズ群１３６、及び折り返しミラー１３７により構成されている。
【００３９】
メインモータ１３８は、各部に動力を供給している。
【００４０】
また、高圧電源１３９は、帯電ローラ１１５の他、現像器１１６、転写ローラ１１７および除電針１１８に所望の電圧を給電する高圧回路を有している。
【００４１】
プリンタ制御部１４０は、レーザプリンタ１０１を制御するものであって、ＲＡＭ、ＲＯＭ、タイマ、デジタル入出力ポート、Ａ／Ｄ変換ポート、Ｄ／Ａ変換ポート（いずれも不図示）等を具備したＭＰＵ（マイクロコンピュータ）１４３、及び各種入出力制御回路（不図示）等で構成されている。
【００４２】
表示パネル１４１は、レーザビームプリンタ１０１のステータスなどを表示して使用者に情報を伝える。
【００４３】
そして、前記プリンタ制御部１４０は、インターフェイス１４４を介してパーソナルコンピュータ等の外部装置１４２に接続されている。
【００４４】
図２に、ハロゲンヒータ１２１に電力を供給するためのヒータ駆動回路の信号経路のブロック図を示す。
【００４５】
図中、２０１は商用電源、２０２は整流回路、２０３はトライアック、２０５はπ型フィルタ、２０６は定電圧出力回路、２０７から２０９はコンデンサ、２１０および２１１はインダクタ、２１２はダイオード、２１３はＦＥＴ、２１４はコントロールＩＣ、２１５は電圧検知回路、２１６はコンデンサである。
【００４６】
プリンタ制御部１４０は、定着ローラ１２１の温度が所定の値になるように、図２に示すヒータ駆動回路によってハロゲンヒータ１２１のオン／オフを切り替えている。
【００４７】
商用電源２０１から出力される交流電圧は、整流回路２０２によって全波整流される。トライアック２０３が導通している時、整流回路２０２の出力電圧はハロゲンヒータ１２１に直接印加される。トライアック２０４が遮断されている時には、整流回路２０２の出力電圧は、π型フィルタ２０５、および定電圧出力回路２０６を介してハロゲンヒータ１２１に印加される。トライアック２０３の導通および遮断はプリンタ制御部１４０からの信号Ｔｓｅｌによって切り替えられる。
【００４８】
π型フィルタ２０５は、コンデンサ２０７、コンデンサ２０８、およびインダクタ２１０によって構成されており、電源ラインのノイズを除去する役割を持つ。
【００４９】
定電圧出力回路２０６は、チョッピング用のＦＥＴ２１３と、インダクタ２１１と、コンデンサ２０９と、ダイオード２１２とからなる降圧型のＤＣ−ＤＣコンバータを有している。ＦＥＴ２１３のゲート端子はコントロールＩＣ２１４のＶｏｕｔ端子に接続されており、コントロールＩＣ２１４はＦＥＴ２１３のオンオフを切り替えることができる。
【００５０】
定電圧出力回路２０６の出力電圧は、電圧検知回路２１５によって検出され、コントロールＩＣ２１４のＶｒｅｆ端子にフィードバックされる。コントロールＩＣ２１４は、このフィードバック値が所定の値になるように、ＦＥＴ２１３のオンデューティを制御する。
【００５１】
プリンタ制御部１４０はコントロールＩＣ２１４と接続されており、Ｈｅｎａｂｌｅ信号によって定電圧電源２０６のオン／オフを制御できる。Ｈｅｎａｂｌｅ信号がハイになると、コントロールＩＣ２１４は定電圧電源２０６を駆動させる。この時、コントロールＩＣ２１４は、ＳＳ端子に接続されているコンデンサ２１６の容量に応じたスローアップ時定数Ｔａおよびスローダウン時定数Ｔｄをもって、スローアップおよびスローダウンを行う。
【００５２】
前記π型フィルタ２０５および定電圧出力回路２０６を介してハロゲンヒータ１２１の電圧あるいは電流の制御を行い、突入電流に起因するフリッカ現象を防止する手段は、特開平１１−３５４２５４号公報に記載されており、公知である。
【００５３】
次に、図３に、本実施例におけるヒータのオン／オフ制御のタイミングチャート（１サイクル）を示す。
【００５４】
図３において、（ａ）は定電圧回路駆動信号Ｈｅｎａｂｌｅ，（ｂ）はトライアック駆動信号Ｔｓｅｌ、（ｃ）はヒータに印加される実効電圧波形、（ｄ）はヒータに流れる実効電流波形である。
【００５５】
プリンタ制御部１４０から出力される信号Ｈｅｎａｂｌｅがハイになると、定電圧回路２０６の出力電圧はスローアップ時定数Ｔａをもって徐々に高くなり、電圧Ｖｂに達した後、一定になる。電圧Ｖｂは、ハロゲンヒータ１２１の定格電圧Ｖａよりも低く設定されている。
【００５６】
プリンタ制御部１４０は、信号Ｈｅｎａｂｌｅの立ち上がりから、あらかじめ決められた時間Ｔｓａが経過したあと、信号Ｔｓｅｌをハイにしてトライアック２０３を導通させる。トライアック２０３が導通すると、整流回路２０２によって全波整流された電圧が直接ハロゲンヒータ１２１に印加される。このときの実効電圧値がＶａである。
【００５７】
トライアックが導通しているときには、信号Ｈｅｎａｂｌｅをロウにして定電圧回路２０６を停止させる。
【００５８】
ハロゲンヒータ１２１をオフさせるときには、スローダウンのために定電圧回路２０６を駆動させた後、Ｔｓｅｌ信号をロウにしてトライアックを遮断する。これにより、ハロゲンヒータ１２１に印加される実効電圧値はＶｂになる。
【００５９】
さらに時間Ｔｓｄが経過した後、信号Ｈｅｎａｂｌｅをロウにすると、定電圧回路２０６はスローダウン時定数Ｔｄをもってスローダウンし、停止する。
【００６０】
以上のような構成では、定電圧回路２０６の最大出力は、ヒータの定格電圧Ｖａよりも低い電圧Ｖｂであれば良く、ＦＥＴ２１３、ダイオード２１２、インダクタ２１１、コンデンサ２０９に流れる平均電流は従来よりも少なくなる。従って、上記各素子での熱損失が小さくなり、従来よりも小さくて安価なパッケージの部品を使用することができる。
【００６１】
また、π型フィルタを構成するインダクタ２１０、コンデンサ２０７および２０８についても同様に、従来と比べコストダウンと小型化ができる。
【００６２】
以上のように本実施例では、ヒータのオン／オフ切り替え時の急峻な電流の変動を抑えつつ、ヒータ駆動回路のコストダウンおよび小型化を達成することができる。
【００６３】
なお、本例ではＴｓａ＞Ｔａであるが、Ｔｓａ＜Ｔａ、つまり定電圧回路２０６でのスローアップが完全に終わる前に、トライアック２０３を導通しても良い。
【実施例２】
【００６４】
次に、図４および図５を参照して、実施例２を説明する。
【００６５】
本実施例のハードウェア構成は、実施例１において、ハロゲンヒータ１２１に電力を供給するためのヒータ駆動回路が異なるものである。
【００６６】
図４は、本実施例におけるヒータ駆動回路の信号経路を示すブロック図である。
【００６７】
図中、４０１は商用電源、４０２は整流回路、４０３はトライアック、４０５はπ型フィルタ、４０６は定電圧出力回路、４０７から４０９はコンデンサ、４１０および４１１はインダクタ、４１２はダイオード、４１３はＦＥＴ、４１４はＰＷＭ発生回路、４１５および４１６は抵抗である。
【００６８】
実施例１と同様の構成のものは、説明を省略する。
【００６９】
定電圧回路４０６内のＦＥＴ４１３は、ＰＷＭ発生回路４１４が発生させるパルスによって、チョッピング駆動する。ＰＷＭ発生回路４１４は、プリンタ制御部１４０と、８ビットのバスＰＷによって接続されており、前記バスＰＷからの信号に応じて、出力するパルスのオンデューティを２５５階調の解像度で変化させる。
【００７０】
定電圧回路４０６の出力電圧は、抵抗４１５および４１６によって分圧され、プリンタ制御部１４０のＶｓｅｎｃｅ端子に入力される。Ｖｓｅｎｃｅ端子はＡ／Ｄ変換ポートであり、分圧された電圧はデジタル値に変換される。プリンタ制御部１４０はＶｓｅｎｃｅ端子の入力をフィードバック値として、定電圧回路４０６の出力が所望の値になるように、バスＰＷに８ビットの信号を出力する。
【００７１】
図５は、本実施例におけるヒータのオン／オフ制御のタイミングチャート（１サイクル）である。
【００７２】
図５において、（ａ）は定電圧回路の出力電圧の目的値、（ｂ）はトライアック駆動信号Ｔｓｅｌ、（ｃ）はヒータに印加される実効電圧波形、（ｄ）はヒータに流れる実効電流波形である。
【００７３】
プリンタ制御部１４０は、バスＰＷの信号を徐々に変化させることで、スローアップ、スローダウンを行う。このときの定電圧回路の出力電圧目的値は図５（ａ）のようになる。
【００７４】
通常通電電圧は、Ｖｂである。
【００７５】
プリンタ制御部１４０は、実施例１と同様に、スローアップを開始してから時間Ｔｓａが経過したあと、信号Ｔｓｅｌをハイにしてトライアック４０３を導通させる。トライアック４０３が導通すると、整流回路４０２によって全波整流された電圧が直接ハロゲンヒータ１２１に印加される。このときの実効電圧値はＶａである。
【００７６】
トライアックが導通しているときには、定電圧回路４０６を停止させる。
【００７７】
ハロゲンヒータ１２１をオフさせるときには、定電圧回路４０６の出力をＶｄにした後、Ｔｓｅｌ信号をロウにしてトライアックを遮断する。これにより、ハロゲンヒータ１２１に印加される実効電圧値はＶｂになる。
【００７８】
さらに時間Ｔｓｄが経過した後、定電圧回路４０６の出力をスローダウンさせる。
【００７９】
以上のような構成にすることで、実施例１と同じように、ＦＥＴ４１３、ダイオード４１２、インダクタ４１１、コンデンサ４０９での熱損失を従来よりも小さくでき、従来よりも小さくて安価なパッケージの部品を使用することができる。
【００８０】
また、π型フィルタを構成するインダクタ４１０、コンデンサ４０７および４０８についても、従来よりも小さくて安価なパッケージの部品を使用することができる。
【実施例３】
【００８１】
次に、図６を参照して実施例３を説明する。
【００８２】
本実施例のハードウェア構成は、実施例２と同じ構成である。
【００８３】
図６は、本実施例におけるヒータのオン／オフ制御のタイミングチャート（１サイクル）である。
【００８４】
図６において、（ａ）は定電圧回路の出力電圧の測定値、（ｂ）はトライアック駆動信号Ｔｓｅｌ、（ｃ）はヒータに印加される実効電圧波形、（ｄ）はヒータに流れる実効電流波形である。
【００８５】
実施例２と同様に、プリンタ制御部１４０は、バスＰＷの信号を徐々に変化させることで、スローアップ、スローダウンを行う。このときの定電圧回路の出力電圧測定値は図６（ａ）のようになるヒータがスローアップするとき、実施例２においては、トライアック駆動信号Ｔｓｅｌがハイになるタイミングは、スローアップを開始してから時間Ｔｓａが経過した時であったが、本実施例においては、前記タイミングは、Ａ／ＤポートＶｓｅｎｃｅで検出される定電圧回路４０６の出力が閾値電圧Ｖｔｈに達した時である。
【００８６】
逆に、スローダウンするときには、ヒータ制御部１４０は定電圧出力回路の出力を徐々にあげ（定常時の通電中は、定電圧出力回路の駆動を停止している）、測定値がＶｔｈに達したとき、トライアックを遮断するとともに、定電圧出力回路４０６の出力をスローダウンさせる。
【００８７】
以上のような構成では、定電圧回路４０６の最大出力は、ヒータの定格電圧Ｖａよりも低い電圧Ｖｔｈであれば良く、ＦＥＴ４１３、ダイオード４１２、インダクタ４１１、コンデンサ４０９に流れる平均電流は従来よりも少なくなる。従って、上記各素子での熱損失が小さくなり、従来よりも小さくて安価なパッケージの部品を使用することができる。
【００８８】
また、π型フィルタを構成するインダクタ４１０、コンデンサ４０７および４０８についても同様に、従来と比べコストダウンと小型化ができる。
【００８９】
以上のように本実施例では、ヒータのオン／オフ切り替え時の急峻な電流の変動を抑えつつ、ヒータ駆動回路のコストダウンおよび小型化を達成することができる。
【００９０】
なお、以上の実施例では、ハロゲンヒータは１本のみであるが、複数のハロゲンヒータを有する画像形成装置（例えば、加圧ローラの中にもヒータを有する画像形成装置）においても、それぞれのハロゲンヒータについて適用可能である。
【図面の簡単な説明】
【００９１】
【図１】実施例１の画像形成装置の構成図
【図２】実施例１のヒータ駆動回路の信号経路ブロック図
【図３】実施例１のヒータのオン／オフ制御のタイミングチャート
【図４】実施例２のヒータ駆動回路の信号経路ブロック図
【図５】実施例２のヒータのオン／オフ制御のタイミングチャート
【図６】実施例３のヒータのオン／オフ制御のタイミングチャート
【図７】従来技術の説明図
【符号の説明】
【００９２】
１０１  レーザビームプリンタ
１２１  ハロゲンヒータ
１２３  定着装置
１４０  プリンタ制御部
２０１  商用電源
２０２  整流回路
２０３  トライアック
２０５  π型フィルタ
２０６  定電圧電源
２１４  コントロールＩＣ
４０６  定電圧電源
４１４  ＰＷＭ発生回路
【図１】
2005251561.tif 000003
【図２】
2005251561.tif 000004
【図３】
2005251561.tif 000005
【図４】
2005251561.tif 000006
【図５】
2005251561.tif 000007
【図６】
2005251561.tif 000008
【図７】
2005251561.tif 000009